(57)【要約】【課題】部屋のレイアウトに影響されることなく複数の部屋における必要な換気を可能な換気システムを得ること。【解決手段】換気システム１は、建物内に設けられた複数の部屋の各々に設けられて建物の外部に連通する複数の通気口と、通気口を開閉するシャッターと、通気口を通して部屋の空気を換気する機械換気装置と、シャッターの開閉および機械換気装置の運転を制御する制御部４４と、を備える。制御部４４は、複数の通気口のうちの１つ以上の通気口である第１の通気口をシャッターにより開くとともに機械換気装置を運転させた状態で、第１の通気口以外の複数の通気口のうち、１つの第２の通気口をシャッターにより開き、他の通気口を閉じる。【選択図】図３
2019203659.tif 000002
【特許請求の範囲】
【請求項１】
建物内に設けられた複数の部屋の各々に設けられて前記建物の外部に連通する複数の通気口と、
前記通気口を開閉するシャッターと、
前記通気口を通して前記部屋の空気を換気する機械換気装置と、
前記シャッターの開閉および前記機械換気装置の運転を制御する制御部と、
を備え、
前記制御部は、前記複数の通気口のうちの１つ以上の通気口である第１の通気口を前記シャッターにより開くとともに前記機械換気装置を運転させた状態で、前記第１の通気口以外の前記複数の通気口のうち、１つの第２の通気口を前記シャッターにより開き、他の前記通気口を閉じること、
を特徴とする換気システム。
【請求項２】
前記制御部は、予め定められた時間の経過後に、前記第１の通気口以外の前記複数の通気口のうち、１つの第２の通気口を前記シャッターにより開き、前記第２の通気口を前記シャッターにより閉じること、
を特徴とする請求項１に記載の換気システム。
【請求項３】
前記制御部は、前記部屋の容積、前記部屋と前記機械換気装置との距離、前記部屋の空気の二酸化炭素濃度または前記部屋における人の在室状態のうちのいずれか１つに基づいて、前記第２の通気口の前記シャッターを開いている時間を変更すること、
を特徴とする請求項１または２に記載の換気システム。
【請求項４】
前記制御部は、前記機械換気装置による換気が行われない前記通気口のうち、前記容積が相対的に大きい前記部屋に設けられた前記通気口を開閉する前記シャッターを開く開口時間を、前記容積が相対的に小さい前記部屋に設けられた前記通気口を開閉する前記シャッターを開く開口時間より長くすること、
を特徴とする請求項３に記載の換気システム。
【請求項５】
前記制御部は、前記機械換気装置による換気が行われない前記通気口のうち、前記機械換気装置による換気が行われない前記通気口が設けられた前記部屋と前記機械換気装置との距離が相対的に長い前記部屋に設けられた前記通気口を開閉する前記シャッターを開く時間を、前記機械換気装置による換気が行われない前記通気口が設けられた前記部屋と前記機械換気装置との距離が相対的に短い前記部屋に設けられた前記通気口を開閉する前記シャッターを開く時間より長くすること、
を特徴とする請求項３に記載の換気システム。
【請求項６】
前記部屋の人を検知する人感センサを備え、
前記制御部は、前記人感センサの検知結果に基づいて、前記第２の通気口の設けられた前記部屋の在室人数が予め定められた閾値人数以上である場合に、前記第２の通気口を前記シャッターにより開く開口時間を、予め定められた前記第２の通気口の開口時間より長くすること、
を特徴とする請求項３に記載の換気システム。
【請求項７】
前記部屋の空気の二酸化炭素濃度を検知する二酸化炭素センサを備え、
前記制御部は、前記二酸化炭素センサの検知結果に基づいて、前記第２の通気口の設けられた前記部屋の空気の二酸化炭素濃度が予め定められた閾値濃度より高い場合に、前記第２の通気口を前記シャッターにより開く開口時間を、予め定められた前記第２の通気口の開口時間より長くすること、
を特徴とする請求項３に記載の換気システム。
【請求項８】
前記部屋の容積、前記部屋と前記機械換気装置との距離、前記部屋の空気の二酸化炭素濃度または前記部屋における人の在室状態のうちのいずれか１つに基づいて前記機械換気装置の風量を変更すること、
を特徴とする請求項１または２に記載の換気システム。
【請求項９】
前記制御部は、前記機械換気装置による換気が行われない前記通気口のうち、前記容積が相対的に大きい前記部屋に設けられた前記通気口を開閉する前記シャッターを開くときの前記機械換気装置の風量を、前記容積が相対的に小さい前記部屋に設けられた前記通気口を開閉する前記シャッターを開くときの前記機械換気装置の風量より多くすること、
を特徴とする請求項８に記載の換気システム。
【請求項１０】
前記制御部は、前記機械換気装置による換気が行われない前記通気口のうち、前記機械換気装置による換気が行われない前記通気口が設けられた前記部屋と前記機械換気装置との距離が相対的に長い前記部屋に設けられた前記通気口を開閉する前記シャッターを開くときの前記機械換気装置の風量を、前記機械換気装置による換気が行われない前記通気口が設けられた前記部屋と前記機械換気装置との距離が相対的に短い前記部屋に設けられた前記通気口を開閉する前記シャッターを開くときの前記機械換気装置の風量より多くすること、
を特徴とする請求項８に記載の換気システム。
【請求項１１】
前記部屋の人を検知する人感センサを備え、
前記制御部は、前記人感センサの検知結果に基づいて、前記第２の通気口の設けられた前記部屋の在室人数が予め定められた閾値人数以上である場合の前記機械換気装置の風量を、予め定められた前記機械換気装置の風量より多くすること、
を特徴とする請求項８に記載の換気システム。
【請求項１２】
前記部屋の空気の二酸化炭素濃度を検知する二酸化炭素センサを備え、
前記制御部は、前記二酸化炭素センサの検知結果に基づいて、前記第２の通気口の設けられた前記部屋の空気の二酸化炭素濃度が予め定められた閾値濃度より高い場合の前記機械換気装置の風量を、予め定められた前記機械換気装置の風量より多くすること、
を特徴とする請求項８に記載の換気システム。
【請求項１３】
前記機械換気装置は、前記建物の中の空気を前記建物の外部に排気する排気用の機械換気装置であり、
第３種換気を行なうこと、
を特徴とする請求項１から１２のいずれか１つに記載の換気システム。
【請求項１４】
前記機械換気装置は、前記建物の外の空気を前記建物の中に給気する給気用の機械換気装置であり、
第２種換気を行なうこと、
を特徴とする請求項１から１２のいずれか１つに記載の換気システム。
【請求項１５】
前記建物が複数階構造を有し、
前記機械換気装置が前記建物の各階に配置され、
前記制御部は、前記建物の各階において、前記機械換気装置により換気を行う前記通気口を前記シャッターにより開くとともに前記機械換気装置を運転させた状態で、前記第２の通気口を前記シャッターにより開き、他の前記通気口を閉じること、
を特徴とする請求項１から１４のいずれか１つに記載の換気システム。
【発明の詳細な説明】
【技術分野】
【０００１】
本発明は、給気と排気とを同時に行って建物内の換気を行うことが可能な換気システムに関する。
【背景技術】
【０００２】
住宅の高気密化が進むに伴い、住宅全体の換気が重要となってきている。住宅の換気方式には、第３種換気が多く採用されている。第３種換気では、住宅の部屋容積に対する排気量を満足する排気ファンが設置され、且つ各部屋に給気口が設置される。
【０００３】
一方、住宅の間取りの多様化に起因して、実際の換気の風路が設計どおりにならないケースが多くなっている。特に第３種換気においては、各部屋に給気口があるものの、給気口からの給気はファンを使用しない自然換気であり、各部屋において部屋の大きさに対応した換気に必要な給気量が得られていない場合があった。
【０００４】
特許文献１には、屋外空気の給気量を調整するダンパが複数の部屋に設けられた各給気口に設けられ、各ダンパの開度を小さな開度に初期設定した後に各変風量ダンパを１つずつ順番に大きな開度に調整して各部屋の給気量を制御する換気システムが開示されている。
【先行技術文献】
【特許文献】
【０００５】
【特許文献１】特開平８−２１９５０７号公報
【発明の概要】
【発明が解決しようとする課題】
【０００６】
しかしながら、上記特許文献１の換気システムによれば、同時に複数の給気口が開いているため、部屋のレイアウトによっては、換気扇と各部屋との間を流れる空気流の圧力損失の影響で変風量ダンパの開度が大きい給気口が設けられた部屋の給気量が必ずしも多くなるとは限らず、給気口からほとんど給気されないケースも想定される。このため、特許文献１の換気システムは、各部屋を確実に換気することができない、という問題があった。
【０００７】
本発明は、上記に鑑みてなされたものであって、部屋のレイアウトに影響されることなく複数の部屋における必要な換気を可能な換気システムを得ることを目的とする。
【課題を解決するための手段】
【０００８】
上述した課題を解決し、目的を達成するために、本発明にかかる換気システムは、建物内に設けられた複数の部屋の各々に設けられて建物の外部に連通する複数の通気口と、通気口を開閉するシャッターと、通気口を通して部屋の空気を換気する機械換気装置と、シャッターの開閉および機械換気装置の運転を制御する制御部と、を備える。制御部は、複数の通気口のうちの１つ以上の通気口である第１の通気口をシャッターにより開くとともに機械換気装置を運転させた状態で、第１の通気口以外の複数の通気口のうち、１つの第２の通気口をシャッターにより開き、他の通気口を閉じる。
【発明の効果】
【０００９】
本発明によれば、部屋のレイアウトに影響されることなく複数の部屋における必要な換気を可能な換気システムが得られる、という効果を奏する。
【図面の簡単な説明】
【００１０】
【図１】本発明の実施の形態１にかかる換気システムの住宅における構成例を示す図
【図２】本発明の実施の形態１にかかる換気システムの構成を示すブロック図
【図３】本発明の実施の形態１にかかる換気システムの機能構成を示すブロック図
【図４】本発明の実施の形態１にかかる処理回路のハードウェア構成の一例を示す図
【図５】本発明の実施の形態１にかかる換気システムの制御装置が給気部に開閉信号を送信するタイミングを示すタイミングチャート
【図６】本発明の実施の形態１にかかる換気システムの制御装置の制御部における制御処理の手順を示すフローチャート
【図７】本発明の実施の形態１にかかる換気システムにおいて第１給気部の給気口のみを開いた場合の空気の流れを示した図
【図８】本発明の実施の形態１にかかる換気システムにおいて第２給気部の給気口のみを開いた場合の空気の流れを示した図
【図９】本発明の実施の形態１にかかる換気システムにおいて第３給気部の給気口のみを開いた場合の空気の流れを示した図
【図１０】本発明の実施の形態２にかかる換気システムの構成を示すブロック図
【図１１】本発明の実施の形態２にかかる換気システムの制御装置の制御部における人感センサと連携した制御処理の手順を示すフローチャート
【図１２】本発明の実施の形態２にかかる換気システムの制御装置の制御部におけるＣＯ２センサと連携した制御処理の手順を示すフローチャート
【図１３】本発明の実施の形態２にかかる換気システムの制御装置の制御部における室内温度センサおよび外気温度センサと連携した制御処理の手順を示すフローチャート
【図１４】本発明の実施の形態２にかかる換気システムの構成を示すブロック図
【図１５】本発明の実施の形態２にかかる換気システムの制御装置の制御部におけるレンジフードファンと連携した制御処理の手順を示すフローチャート
【図１６】本発明の実施の形態２にかかる換気システムの制御装置の制御部における照明機器と連携した制御処理の手順を示すフローチャート
【図１７】本発明の実施の形態３にかかる換気システムの住宅における構成例を示す図
【図１８】本発明の実施の形態３にかかる換気システムの機能構成を示すブロック図
【図１９】本発明の実施の形態４にかかる換気システムの住宅における構成例を示す図
【発明を実施するための形態】
【００１１】
以下に、本発明の実施の形態にかかる換気システムを図面に基づいて詳細に説明する。なお、この実施の形態によりこの発明が限定されるものではない。
【００１２】
実施の形態１．
図１は、本発明の実施の形態１にかかる換気システム１の住宅２００における構成例を示す図である。図２は、本発明の実施の形態１にかかる換気システム１の構成を示すブロック図である。図２における矢印は、信号の送信方向を示している。図３は、本発明の実施の形態１にかかる換気システム１の機能構成を示すブロック図である。
【００１３】
２階建ての建物である住宅２００に設けられた本実施の形態１にかかる換気システム１は、遠隔操作機器１０と、制御装置２０と、シャッター付き排気部３０と、シャッター付き給気部４０と、宅内無線ライン５０と、宅内通信ライン６０と、を有している。
【００１４】
図１に示すように、住宅２００において、１階の部屋２１１における建物の外部に隣り合う壁には、シャッター付き排気部３０が配置されている。また、換気システム１は、シャッター付き給気部４０として、第１シャッター付き給気部４０ａ、第２シャッター付き給気部４０ｂおよび第３シャッター付き給気部４０ｃを有する。第１シャッター付き給気部４０ａは、１階の部屋２１２における建物の外部に隣り合う壁に配置されている。第２シャッター付き給気部４０ｂは、２階の部屋２１３における建物の外部に隣り合う壁に配置されている。第３シャッター付き給気部４０ｃは、２階の部屋２１４における建物の外部に隣り合う壁に配置されている。なお、以下では、シャッター付き排気部３０を排気部３０と呼ぶ場合がある。また、以下では、シャッター付き給気部４０を給気部４０と、第１シャッター付き給気部４０ａを第１給気部４０ａと、第２シャッター付き給気部４０ｂを第２給気部４０ｂと、第３シャッター付き給気部４０ｃを第３給気部４０ｃと呼ぶ場合がある。
【００１５】
遠隔操作機器１０は、たとえば携帯電話またはタブレットなどの携帯機器である。遠隔操作機器１０は、換気システム１の運転、停止または風量の調整などの操作を行うための指示情報が入力され、該指示情報を制御装置２０に送信する機能を有する。遠隔操作機器１０は、入力部１１と、表示部１２と、通信部１３と、制御部１４とを有する。入力部１１と表示部１２と通信部１３と制御部１４とは、互いに通信可能である。
【００１６】
入力部１１は、使用者が換気システム１の運転、停止または風量の調整などの各種の操作を行うための指示情報を入力する入力手段である。表示部１２は、換気システム１の運転状況または遠隔操作機器１０に入力された情報など、換気システム１の制御に必要な各種の情報を表示する表示手段である。通信部１３は、制御装置２０との間で、換気システム１の制御に必要な各種の情報の通信を、宅内無線ライン５０を介して行う。制御部１４は、遠隔操作機器１０全体の動作を制御する。
【００１７】
また、制御部１４は、例えば、図４に示したハードウェア構成の処理回路として実現される。図４は、本発明の実施の形態１にかかる処理回路のハードウェア構成の一例を示す図である。制御部１４が図４に示す処理回路により実現される場合、制御部１４は、例えば、図４に示すメモリ１０２に記憶されたプログラムをプロセッサ１０１が実行することにより、実現される。また、複数のプロセッサおよび複数のメモリが連携して上記機能を実現してもよい。また、制御部１４の機能のうちの一部を電子回路として実装し、他の部分をプロセッサ１０１およびメモリ１０２を用いて実現するようにしてもよい。
【００１８】
また、同様にメモリ１０２に記憶されたプログラムをプロセッサ１０１が実行することにより、通信部１３が実現されるように構成してもよい。また、通信部１３を実現するためのプロセッサおよびメモリは、制御部１４を実現するプロセッサおよびメモリと同一であってもよいし、別のプロセッサおよびメモリであってもよい。
【００１９】
制御装置２０は、換気システム１の運転、停止または風量の調整などの動作を、遠隔管理により制御する。制御装置２０は、通信部２１と、制御部２２とを有する。
【００２０】
通信部２１は、遠隔操作機器１０との間で、換気システム１の制御に必要な各種の情報の通信を、宅内無線ライン５０を介して行う。また、通信部２１は、シャッター付き排気部３０およびシャッター付き給気部４０との間で、シャッター付き排気部３０およびシャッター付き給気部４０の制御に必要な各種の情報の通信を、宅内通信ライン６０を介して行う。
【００２１】
制御部２２は、遠隔操作機器１０から宅内無線ライン５０を介して送信される情報に基づいて、または該制御部２２に予め設定された情報に基づいて、シャッター付き排気部３０およびシャッター付き給気部４０の制御に必要な各種の処理を制御する。制御部２２は、換気運転を実施する際に、シャッター付き排気部３０を動作させるとともに、複数のシャッター付き給気部４０のうち給気を行わせるシャッター付き給気部４０を制御する機能を有する。また、制御部２２は、制御装置２０全体の動作を制御する。
【００２２】
また、制御部２２は、例えば、図４に示したハードウェア構成の処理回路として実現される。制御部２２が図４に示す処理回路により実現される場合、制御部２２は、例えば、図４に示すメモリ１０２に記憶されたプログラムをプロセッサ１０１が実行することにより、実現される。また、複数のプロセッサおよび複数のメモリが連携して上記機能を実現してもよい。また、制御部２２の機能のうちの一部を電子回路として実装し、他の部分をプロセッサ１０１およびメモリ１０２を用いて実現するようにしてもよい。
【００２３】
また、同様にメモリ１０２に記憶されたプログラムをプロセッサ１０１が実行することにより、通信部２１が実現されるように構成してもよい。また、通信部２１を実現するためのプロセッサおよびメモリは、制御部２２を実現するプロセッサおよびメモリと同一であってもよいし、別のプロセッサおよびメモリであってもよい。
【００２４】
シャッター付き排気部３０は、制御装置２０の制御部２２から送信される制御情報に基づいて室内の空気の排気を行う。シャッター付き排気部３０は、排気口３１と、排気側送風機３２と、開閉処理部３３と、通信部３４と、制御部３５とを有する。
【００２５】
排気口３１は、建物の外部に隣り合う壁に設けられた通気口であり、室内の空気を住宅２００の室内から排気するための排気口である。本実施の形態１において、排気口３１は、換気システム１において建物の外部に隣り合う壁に設けられた複数の通気口のうち、排気側送風機３２によって換気が行われる１つ以上の通気口である第１の通気口である。排気側送風機３２は、住宅２００の室内から室内空気を吸い込むとともに排気口３１を通して住宅２００の外部へ送り出して排出する排気のための送風を行う送風機である。すなわち、排気側送風機３２は、通気口を通して部屋の空気を換気する機械換気装置である。排気側送風機３２は、住宅２００における換気の空気流を発生させる。
【００２６】
開閉処理部３３は、シャッターを開閉することによって排気口３１を開閉して、シャッター付き排気部３０による排気の実施または停止を切り換える。通信部３４は、制御装置２０との間で、シャッター付き排気部３０の制御に必要な各種の情報の通信を、宅内通信ライン６０を介して行う。制御部３５は、制御装置２０の制御部２２から送信される制御情報に基づいてシャッターの開閉および排気側送風機３２の運転を制御するとともに、シャッター付き排気部３０の全体の動作を制御する。
【００２７】
また、制御部３５は、例えば、図４に示したハードウェア構成の処理回路として実現される。制御部３５が図４に示す処理回路により実現される場合、制御部３５は、例えば、図４に示すメモリ１０２に記憶されたプログラムをプロセッサ１０１が実行することにより、実現される。また、複数のプロセッサおよび複数のメモリが連携して上記機能を実現してもよい。また、制御部３５の機能のうちの一部を電子回路として実装し、他の部分をプロセッサ１０１およびメモリ１０２を用いて実現するようにしてもよい。
【００２８】
また、通信部３４を、同様にメモリ１０２に記憶されたプログラムをプロセッサ１０１が実行することにより、実現されるように構成してもよい。また、通信部３４を実現するためのプロセッサおよびメモリは、制御部３５を実現するプロセッサおよびメモリと同一であってもよいし、別のプロセッサおよびメモリであってもよい。
【００２９】
シャッター付き給気部４０は、制御装置２０の制御部２２から送信される制御情報に基づいて新鮮な空気である外気を住宅２００の外部から室内に給気する。シャッター付き給気部４０は、給気口４１と、開閉処理部４２と、通信部４３と、制御部４４とを有する。
【００３０】
給気口４１は、建物の外部に隣り合う壁に設けられた通気口であり、新鮮な空気である外気を室内に給気するための給気口である。本実施の形態１において、給気口４１は、換気システム１において建物の外部に隣り合う壁に設けられた複数の通気口のうち、排気側送風機３２によって換気が行われる第１の通気口以外の通気口である。そして、本実施の形態１において、給気口４１は、換気運転中にシャッターにより開かれる１つの第２の通気口と、換気運転中にシャッターにより開かれない他の通気口とに該当する。開閉処理部４２は、シャッターを開閉することによって給気口４１を開閉して、シャッター付き給気部４０による給気の実施または停止を切り換える。通信部４３は、制御装置２０との間で、シャッター付き給気部４０の制御に必要な各種の情報の通信を、宅内通信ライン６０を介して行う。
【００３１】
制御部４４は、制御装置２０の制御部２２から送信される制御情報であって給気口４１の開閉を指示する開閉信号に基づいて、開閉処理部４２におけるシャッターの開閉を制御して、シャッター付き給気部４０による給気の実施または停止を切り換える制御を行う。制御部４４は、シャッターを開放して給気口４１を開口している時間である開口時間を、制御装置２０の制御部２２から送信される開閉信号に基づいて制御する。また、制御部４４は、シャッター付き給気部４０の全体の動作を制御する。
【００３２】
また、制御部４４は、例えば、図４に示したハードウェア構成の処理回路として実現される。制御部４４が図４に示す処理回路により実現される場合、制御部４４は、例えば、図４に示すメモリ１０２に記憶されたプログラムをプロセッサ１０１が実行することにより、実現される。また、複数のプロセッサおよび複数のメモリが連携して上記機能を実現してもよい。また、制御部４４の機能のうちの一部を電子回路として実装し、他の部分をプロセッサ１０１およびメモリ１０２を用いて実現するようにしてもよい。
【００３３】
また、同様にメモリ１０２に記憶されたプログラムをプロセッサ１０１が実行することにより、通信部４３が実現されるように構成してもよい。また、通信部４３を実現するためのプロセッサおよびメモリは、制御部４４を実現するプロセッサおよびメモリと同一であってもよいし、別のプロセッサおよびメモリであってもよい。
【００３４】
宅内無線ライン５０は、遠隔操作機器１０と制御装置２０との間で各種の情報の通信を行うための建物内無線通信回線である。
【００３５】
宅内通信ライン６０は、シャッター付き排気部３０およびシャッター付き給気部４０と、制御装置２０との間で、シャッター付き排気部３０およびシャッター付き給気部４０の制御に必要な各種の情報の通信を行うための建物内通信回線である。宅内通信ライン６０は、有線方式の通信回線であってもよく、また無線方式の通信回線であってもよい。
【００３６】
次に、本実施の形態１にかかる換気システム１の動作例について説明する。図５は、本発明の実施の形態１にかかる換気システム１の制御装置２０が給気部４０に開閉信号を送信するタイミングを示すタイミングチャートである。図６は、本発明の実施の形態１にかかる換気システム１の制御装置２０の制御部２２における制御処理の手順を示すフローチャートである。図７は、本発明の実施の形態１にかかる換気システム１において第１給気部４０ａの給気口４１のみを開いた場合の空気の流れを示した図である。図８は、本発明の実施の形態１にかかる換気システム１において第２給気部４０ｂの給気口４１のみを開いた場合の空気の流れを示した図である。図９は、本発明の実施の形態１にかかる換気システム１において第３給気部４０ｃの給気口４１のみを開いた場合の空気の流れを示した図である。図７、図８および図９における矢印は、空気の流れを示している。なお、住宅２００内においては、各部屋を仕切るドアなどを閉めて部屋を閉め切っても、ドアのガラリまたはドアと床との隙間などを通して部屋の内外の通気が可能である。
【００３７】
以下では、換気システム１が、第３種換気での２４時間換気の開始時における換気システム１の動作例について説明する。２４時間換気の開始時には、排気部３０は停止しており、第１給気部４０ａ、第２給気部４０ｂおよび第３給気部４０ｃは閉鎖されている。
【００３８】
ステップＳ１において制御装置２０の制御部２２は、２４時間換気の開始情報を遠隔操作機器１０から受け取ると、時刻Ｔ１において排気部３０を駆動させるとともに第１給気部４０ａの給気口４１のみを開く制御を行う。すなわち、制御部２２は、排気部３０の排気側送風機３２を動作させるとともに排気部３０のシャッターを開き、第１給気部４０ａの給気口４１を開き、第２給気部４０ｂの給気口４１および第３給気部４０ｃの給気口４１を閉じた状態のままとする制御を行う。第１給気部４０ａは、制御部２２から送信される開閉信号である開信号に基づいてシャッターを開くことにより給気口４１を開き、給気口４１を介した通気が可能な状態となる。
【００３９】
これにより、図７に示すように、複数の給気部４０の給気口４１のうち第１給気部４０ａの給気口４１のみが開かれ、第２給気部４０ｂおよび第３給気部４０ｃの給気口４１が閉鎖された状態で住宅２００内の空気の換気が行われる。この場合は、第１給気部４０ａの給気口４１から部屋２１２に外気が給気され、部屋２１２の空気が住宅２００内を通って部屋２１１の排気部３０から建物の外部に排気される。
【００４０】
つぎに、ステップＳ２において制御部２２は、時刻Ｔ１から開口時間ＯＴ１が経過したか否かを、制御部２２の時計機能を用いて判定する。開口時間ＯＴ１は、第１給気部４０ａの給気口４１の予め定められた開口時間であり、制御部２２に設定されている。開口時間ＯＴ１が経過していないと判定された場合は、ステップＳ２においてＮｏとなり、制御部２２は、ステップＳ２を繰り返す。開口時間ＯＴ１が経過したと判定された場合は、ステップＳ２においてＹｅｓとなり、制御部２２は、ステップＳ３に進む。
【００４１】
ステップＳ３において制御部２２は、時刻Ｔ２に、排気部３０を駆動させたまま、第２給気部４０ｂの給気口４１のみを開く制御を行う。すなわち、制御部２２は、排気部３０を動作させた状態で、第１給気部４０ａの給気口４１を閉じると同時に第２給気部４０ｂの給気口４１を開き、第３給気部４０ｃを閉じた状態のままとする制御を行う。時刻Ｔ２は、時刻Ｔ１から開口時間ＯＴ１が経過した時刻である。第１給気部４０ａは、制御部２２から送信される開閉信号である閉信号に基づいてシャッターを閉じて給気口４１を閉鎖することで、給気口４１を介した通気が不可能な状態となる。また、第２給気部４０ｂは、制御部２２から送信される開閉信号である開信号に基づいてシャッターを開いて給気口４１を開くことで、給気口４１を介した通気が可能な状態となる。
【００４２】
すなわち、記制御部２２は、第１の通気口である排気口３１をシャッターにより開くとともに排気側送風機３２を運転させた状態で、排気口３１以外の複数の通気口のうち、１つの第２の通気口である第２給気部４０ｂの給気口４１をシャッターにより開き、他の通気口である第１給気部４０ａの給気口４１をシャッターにより閉じる制御を行う。
【００４３】
これにより、図８に示すように、複数の給気部４０の給気口４１のうち第２給気部４０ｂの給気口４１のみが開かれ、第１給気部４０ａおよび第３給気部４０ｃの給気口４１が閉鎖された状態で住宅２００内の空気の換気が行われる。この場合は、第２給気部４０ｂの給気口４１から部屋２１３に外気が給気され、部屋２１３の空気が住宅２００内を通って部屋２１１の排気部３０から建物の外部に排気される。部屋２１３の空気は、排気部３０が発生する空気流により、階段または吹き抜けを通り、部屋２１１の排気部３０へ流れる。
【００４４】
つぎに、ステップＳ４において制御部２２は、時刻Ｔ２から開口時間ＯＴ２が経過したか否かを、制御部２２の時計機能を用いて判定する。開口時間ＯＴ２は、第２給気部４０ｂの給気口４１の予め定められた開口時間であり、制御部２２に設定されている。開口時間ＯＴ２が経過していないと判定された場合は、ステップＳ４においてＮｏとなり、制御部２２は、ステップＳ４を繰り返す。開口時間ＯＴ２が経過したと判定された場合は、ステップＳ４においてＹｅｓとなり、制御部２２は、ステップＳ５に進む。
【００４５】
ステップＳ５において制御部２２は、時刻Ｔ３に、排気部３０を駆動させたまま、第３給気部４０ｃの給気口４１のみを開く制御を行う。時刻Ｔ３は、時刻Ｔ２から開口時間ＯＴ２が経過した時刻である。すなわち、制御部２２は、排気部３０を動作させた状態で、第２給気部４０ｂの給気口４１を閉じると同時に第３給気部４０ｃの給気口４１を開き、第１給気部４０ａを閉じた状態のままとする制御を行う。第２給気部４０ｂは、制御部２２から送信される開閉信号である閉信号に基づいてシャッターを閉じて給気口４１を閉鎖することで、給気口４１を介した通気が不可能な状態となる。また、第３給気部４０ｃは、制御部２２から送信される開閉信号である開信号に基づいてシャッターを開いて給気口４１を開くことで、給気口４１を介した通気が可能な状態となる。
【００４６】
これにより、図９に示すように、複数の給気部４０の給気口４１のうち第３給気部４０ｃの給気口４１のみが開放され、第１給気部４０ａおよび第２給気部４０ｂの給気口４１が閉鎖された状態で住宅２００内の空気の換気が行われる。この場合は、第３給気部４０ｃの給気口４１から部屋２１４に外気が給気され、部屋２１４の空気が住宅２００内を通って部屋２１１の排気部３０から建物の外部に排気される。部屋２１４の空気は、排気部３０が発生する空気流により、階段または吹き抜けを通り、部屋２１１の排気部３０へ流れる。
【００４７】
つぎに、ステップＳ６において制御部２２は、時刻Ｔ３から開口時間ＯＴ３が経過したか否かを、制御部２２の時計機能を用いて判定する。開口時間ＯＴ３は、第３給気部４０ｃの給気口４１の予め定められた開口時間であり、制御部２２に設定されている。開口時間ＯＴ３が経過していないと判定された場合は、ステップＳ６においてＮｏとなり、制御部２２は、ステップＳ６を繰り返す。開口時間ＯＴ３が経過したと判定された場合は、ステップＳ６においてＹｅｓとなり、制御部２２は、ステップＳ１に戻る。
【００４８】
ステップＳ１において制御部２２は、第１給気部４０ａの給気口４１のみを開く制御を行う。ただし、排気部３０はすでに動作しているため、排気部３０を駆動させる制御は行われない。
【００４９】
上述したステップＳ１からステップＳ６までの処理において、制御部２２は、排気側送風機３２により換気を行う第１の通気口である排気口３１をシャッターにより開くとともに排気側送風機３２を運転させた状態で、第１の通気口以外の前記複数の通気口のうち、１つの第２の通気口をシャッターにより開き、他の通気口を閉じる制御を行う。そして、上述したステップＳ１からステップＳ６までの処理によって、部屋２１２の換気と、部屋２１３の換気と、部屋２１４の換気と、がこの順で１回ずつ行われる。本実施の形態１では、部屋２１２の換気と、部屋２１３の換気と、部屋２１４の換気とがこの順で１回ずつ行われる換気が、換気運転の１サイクルとされる。換気運転の１サイクルにおける各部屋の換気回数は変更可能である。部屋２１１の換気は、部屋２１３の換気、部屋２１４の換気および部屋２１２の換気時に同時に行われる。
【００５０】
上述した処理が行われることにより、換気システム１では、複数設けられている給気部４０の給気口４１のうち開かれている給気口４１が常に１箇所とされるため、給気口４１が開口されている部屋を確実に換気することが可能となる。これにより、省エネルギーのために高気密化が進み、シックハウス等の対策として換気が重要となってきている住宅状況において、より多様化する間取りの影響を受けることなく、各部屋に必要な換気を確実に行うことが可能となる。したがって、換気システム１では、各部屋について必要な換気量のバランスのとれた換気が可能となる。
【００５１】
また、換気システム１では、換気の実施中におけるどの時点においても、給気が行われる給気部４０と、排気が行われる排気部３０とが各々１箇所に限定されているので、換気の実施中における風路が明確に判別可能である。
【００５２】
また、換気システム１は、高気密化が図られることで締め切った状態において給気部４０以外の給気箇所がほとんど無い住宅２００に適用することにより、開かれている給気口４１が設けられている部屋の換気を、より確実に行うことが可能となり、換気の実施中における風路がより明確に判別可能となる。
【００５３】
また、制御部２２における給気口４１の開閉の制御は、給気口４１を開くかまたは給気口４１を閉じるかの２パターンのみの制御である。このため、換気システム１は、複雑な構成および制御を要することなく、簡単な構成で容易に各部屋に異なった換気量の制御を安価に実現でき、量産に適している。また、制御部２２における給気口４１の開閉の切り替え制御は、給気部４０に開閉信号を送信するのみで実現でき、制御部２２における換気処理が簡単である。
【００５４】
また、制御部２２には、各給気部４０における給気口４１の開口時間の初期設定値が予め設定されている。制御部２２には、各給気部４０についての開口時間の初期設定値に基づいて、上述した換気処理を制御する。各給気部４０における給気口４１の開口時間の初期設定値は、同じ開口時間とされている。
【００５５】
また、住宅２００内に配置された複数の給気部４０のうち、シャッターを開くことによって給気口４１を開口する給気部４０の順番は、遠隔操作機器１０から変更を指示する指示情報を入力することにより、任意に設定を変更可能である。遠隔操作機器１０の入力部１１で受け付けられた指示情報は、遠隔操作機器１０の制御部１４および通信部１３を介して制御装置２０の制御部２２に送信される。
【００５６】
また、上記においては、制御装置２０が排気部３０および給気部４０から独立して設けられた構成について示したが、制御装置２０は排気部３０および給気部４０のうちのいずれかに内蔵されてもよい。
【００５７】
また、上記においては、排気部３０が１箇所のみに配置されている場合について示したが、排気部３０を複数箇所に設けることも可能である。この場合は、給気口４１が開口されている給気部４０が配置されている部屋の換気量が、複数の排気部３０の排気量の合計である総合排気量に増えることになり、短時間で換気が可能となる。この場合の換気風路は、給気口４１が開口されている給気部４０から複数の排気部３０の各々に向かう風路となる。この場合も、給気が行われる給気部４０が１箇所に限定されているので、換気の実施中における換気風路が明確に判別可能である。
【００５８】
また、換気システム１では、制御装置２０と、ＨＥＭＳ（Ｈｏｍｅ  Ｅｎｅｒｇｙ  Ｍａｎａｇｅｍｅｎｔ  Ｓｙｓｔｅｍ）、とを接続することにより、住宅２００内の各部屋の空気調和管理の１つの方法として、上述した換気を行うことも可能となる。
【００５９】
また、制御装置２０の機能を、ＨＥＭＳにおいて住宅２００内の複数の宅内設備機器の運転、停止または風量の調整などの動作を遠隔管理により制御する宅内設備機器集中管理装置が兼ねてもよい。
【００６０】
また、基本的にある瞬間に開いている給気口４１は１箇所が望ましいが、排気部３０の位置に対して、給気口４１が設けられている各部屋と排気部３０との間を流れる空気流の圧力損失が同じであると判断でき、換気量が同じであれば、同時に２箇所以上の給気口４１を開けることも可能となる。
【００６１】
上述したように、本実施の形態１にかかる換気システム１は、部屋のレイアウトに影響されることなく複数の部屋における必要な換気が可能な換気システムを実現できる。
【００６２】
実施の形態２．
実施の形態２では、換気システム１の変形例について説明する。本実施の形態２にかかる換気システム２は、シャッターを開いて給気口４１を開く開口時間を各給気部４０によって変化させる。各給気部４０における給気口４１の開口時間を給気部４０ごとに変化させる場合には、開口時間は、制御装置２０の制御部２２において決定され、制御される。
【００６３】
各給気部４０についての開口時間の設定は、遠隔操作機器１０から開口時間の変更を指示する指示情報を入力することにより、任意に設定を変更可能である。遠隔操作機器１０の入力部１１で受け付けられた指示情報は、遠隔操作機器１０の制御部１４および通信部１３を介して制御装置２０の制御部２２に送信される。これにより、ユーザが部屋の大きさ等の条件に基づいて、制御部２２に設定されている各給気部４０についての開口時間を適宜変更することが可能であり、所望の開口時間での換気運転が可能である。
【００６４】
住宅２００内の各部屋の大きさが各々異なる場合は、各部屋に設けられた給気部４０の給気口４１の開口時間により各部屋の換気量を調整することが可能である。すなわち、排気部３０による換気風量が一定の条件である場合で、住宅２００内の各部屋の容積が異なる場合には、部屋の空気全体を換気するために必要な開口時間は各部屋によって異なる。このため、各給気部４０についての開口時間は、給気部４０が配置されている部屋の容積に基づいて異なる時間に設定される。すなわち、各給気部４０についての開口時間は、給気部４０が配置されている部屋の容積が大きいほど、長く設定される。これにより、換気量が必要な部屋ほど、開口時間を長くすることができる。
【００６５】
したがって、制御部２２は、排気側送風機３２による換気が行われない通気口である給気口４１のうち、容積が相対的に大きい部屋に設けられた給気口４１を開閉するシャッターを開く開口時間を、容積が相対的に小さい部屋に設けられた給気口４１を開閉するシャッターを開く開口時間より長くする制御を行う。
【００６６】
これにより換気システム２は、給気部４０が配置されている部屋の容積が大きいほど、開口時間を長くすることにより、住宅２００内の各部屋の大きさに対応して各部屋の換気を確実に行うことができる。
【００６７】
また、換気運転の１サイクルにおける給気部４０についての開口回数は、初期設定では、１回とされている。換気運転の１サイクルにおける給気部４０についての開口回数は、遠隔操作機器１０から開口回数の変更を指示する指示情報を入力することにより、任意に設定を変更可能である。遠隔操作機器１０の入力部１１で受け付けられた指示情報は、遠隔操作機器１０の制御部１４および通信部１３を介して制御装置２０の制御部２２に送信される。これにより、ユーザが部屋の大きさ等の条件に基づいて、制御部２２に設定されている各給気部４０についての開口回数を適宜変更することが可能であり、換気運転の１サイクルにおいて所望の開口回数での換気運転が可能である。
【００６８】
排気部３０の排気風量と部屋の容積とにより、給気部４０が配置されている部屋について最低限必要な換気量から、最低限必要な開口時間を求めることができる。最低限必要な換気量は、部屋の空気全体を換気する換気量または所望の換気量とすることができる。開口時間に基づいて、換気運転の１サイクルにおける給気部４０についての開口回数を所望の開口回数に変更することができる。
【００６９】
そして、換気システム２は、給気部４０が配置されている部屋の容積が大きいほど、開口回数を多くすることにより、住宅２００内の各部屋の大きさに対応して各部屋の換気を確実に行うことができる。
【００７０】
また、住宅２００内の各部屋に設けられた複数の給気口が開いた状態で行われる第３種換気では、給気口が配置されている部屋から排気部までの各風路を流れる空気流の圧力損失の違いにより、各部屋の大きさ対応した換気ができない場合が多い。
【００７１】
排気部３０による換気風量が一定の条件である場合には、給気部４０が配置されている部屋と排気場所との距離によって、給気部４０が配置されている部屋から排気場所に達するまでの空気流の圧力損失が異なり、換気効率が異なる。すなわち、部屋の空気全体を換気するために必要な給気部４０の開口時間は、給気部４０が配置されている部屋と排気場所との距離によって、部屋ごとに異なる。このため、各給気部４０についての開口時間は、給気部４０が配置されている部屋と排気場所との距離に基づいて、異なる時間に設定される。すなわち、各給気部４０についての開口時間は、給気部４０が配置されている部屋と排気部３０との距離が長いほど、長く設定される。
【００７２】
したがって、制御部２２は、排気側送風機３２による換気が行われない通気口である給気口４１のうち、給気口４１が設けられた部屋と排気側送風機３２との距離が相対的に長い部屋に設けられた給気口４１を開閉するシャッターを開く時間を、給気口４１が設けられた部屋と排気側送風機３２との距離が相対的に短い部屋に設けられた給気口４１を開閉するシャッターを開く時間より長くする制御を行う。
【００７３】
これにより換気システム２は、給気部４０が配置されている部屋と排気部３０との距離が長いほど、開口時間を長くすることにより、住宅２００内の部屋の間取りに対応して各部屋の換気を確実に行うことができる。また、換気システム２は、給気部４０が配置されている部屋と排気部３０との距離が長いほど、開口回数を多くすることにより、住宅２００内の部屋の間取りに対応して各部屋の換気を確実に行うことができる。
【００７４】
また、換気システム２は、各種のセンサの検知結果に基づいて、自動的に各給気部４０における給気口４１の開口時間を変化させる、または自動的に開口回数を変化させることにより、部屋の状況に対応した適切な換気を実現することができる。図１０は、本発明の実施の形態２にかかる換気システム２の構成を示すブロック図である。図１０における矢印は、信号の送信方向を示している。
【００７５】
本実施の形態２にかかる換気システム２は、上述した実施の形態１にかかる換気システム１の構成に加えて、部屋における人の在否および人数を検知する人感センサ７０と、部屋の室内空気の二酸化炭素（ＣＯ２）の濃度を検知する二酸化炭素センサ８０と、部屋の室内空気の温度を検知する室内温度センサ９０と、外気温度を検知する外気温度センサ１００と、をさらに有する。人感センサ７０と、ＣＯ２センサ８０と、室内温度センサ９０と、外気温度センサ１００とは、通信ライン１１０により制御装置２０と通信可能である。換気システム２は、実施の形態１にかかる換気システム１の機能に加えて、各種のセンサの検知結果に基づいて換気運転を行うことができる。すなわち、本実施の形態２にかかる換気システム２では、センサと連携した換気運転である連携運転を実施可能である。
【００７６】
人感センサ７０は、住宅２００内において給気部４０が設けられた各部屋に設置されている。人感センサ７０は、予め定められた周期で定期的に部屋における人の在否および人数を検知して、通信ライン１１０を介して検知結果を制御装置２０の制御部２２に送信する。
【００７７】
ＣＯ２センサ８０は、住宅２００内において給気部４０が設けられた各部屋に設置されている。ＣＯ２センサ８０は、予め定められた周期で定期的に部屋の室内空気のＣＯ２濃度を検知して、通信ライン１１０を介して検知結果を制御装置２０の制御部２２に送信する。
【００７８】
室内温度センサ９０は、住宅２００内において給気部４０が設けられた各部屋に設置されている。室内温度センサ９０は、予め定められた周期で部屋の室内空気の温度を検知して、通信ライン１１０を介して検知結果を制御装置２０の制御部２２に送信する。
【００７９】
外気温度センサ１００は、住宅２００の外部に設置されている。外気温度センサ１００は、予め定められた周期で外気温度を検知して、通信ライン１１０を介して検知結果を制御装置２０の制御部２２に送信する。
【００８０】
部屋における人の在否および在室人数によって、ＣＯ２による室内空気の汚れ度合いが異なる。したがって、排気部３０による換気風量が一定の条件であり、１回の換気で部屋の空気全体を換気しない場合には、予め定められた基準まで部屋の空気を清浄化するために必要な給気部４０の開口時間は、部屋における人の在否および在室人数によって異なり、また室内空気のＣＯ２濃度によって異なる。換気システム２では、人感センサ７０の検知結果に基づいて、開口されている給気部４０の給気口４１の開口時間または開口回数を変更可能である。
【００８１】
図１１は、本発明の実施の形態２にかかる換気システム２の制御装置２０の制御部２２における人感センサ７０と連携した制御処理の手順を示すフローチャートである。以下、換気システム２における人感センサ７０の検知結果に基づいた換気運転について説明する。以下に示す処理は、図６を参照して説明した制御装置２０の制御部２２における制御中に行われる。
【００８２】
ステップＳ１０において制御装置２０の制御部２２は、給気部４０の給気口４１を開いた部屋の人感センサ７０から送信された検知結果に基づいて、給気部４０の給気口４１を開いた部屋に人が在室しているか否かを判定する。以下、給気部４０の給気口４１を開いた部屋を対象部屋と呼ぶ。対象部屋に人が在室していると判定された場合は、ステップＳ１０においてＹｅｓとなり、ステップＳ２０に進む。対象部屋に人が在室していないと判定された場合は、ステップＳ１０においてＮｏとなり、ステップＳ４０に進む。
【００８３】
ステップＳ２０において、制御部２２は、対象部屋の人感センサ７０から送信された検知結果に基づいて、対象部屋に人が在室している在室人数が閾値人数以上か否かを判定する。在室人数が閾値人数以上である場合は、ステップＳ２０においてＹｅｓとなり、ステップＳ３０に進む。在室人数が閾値人数未満である場合は、ステップＳ２０においてＮｏとなり、ステップＳ１０に戻る。
【００８４】
閾値人数は、対象部屋における給気部４０の給気口４１の開口時間または開口回数を変更するか否かを判定するための閾値であり、予め制御部２２に設定されている。閾値人数は、遠隔操作機器１０から変更を指示する指示情報を入力することにより、任意に設定を変更可能である。遠隔操作機器１０の入力部１１で受け付けられた指示情報は、遠隔操作機器１０の制御部１４および通信部１３を介して制御装置２０の制御部２２に送信される。
【００８５】
ステップＳ３０において、制御部２２は、対象部屋の給気部４０の給気口４１の開口時間を、制御部２２に設定されている開口時間の初期設定値よりも長くした変更設定値を設定して、変更設定値に基づいて対象部屋における給気部４０の給気口４１の開閉を制御する。または、制御部２２は、対象部屋に対しての換気運転の１サイクルにおける給気部４０の給気口４１の開口回数を、制御部２２に設定されている開口回数の初期設定値よりも多くした変更設定値を設定して、変更設定値に基づいて対象部屋における給気部４０の給気口４１の開閉を制御する。これにより、換気システム２は、閾値人数以上の人が在室することにより室内空気が汚れ易い対象部屋の換気量を増やすことができ、対象部屋の空気をより清浄化することができる。
【００８６】
ステップＳ３０の後、制御部２２は、現在の対象部屋に対しての、換気運転の１サイクル内における一連の連携制御を終了する。なお、換気運転の１サイクル内において、開口時間を長くした変更設定値または開口回数を多くした変更設定値を設定した対象部屋に対しては、更なる開口時間または開口回数の変更設定値の設定は行われない。
【００８７】
一方、ステップＳ４０において、制御部２２は、対象部屋の給気部４０の給気口４１の開口時間を、制御部２２に設定されている開口時間の初期設定値よりも短くして２４時間換気における下限値に設定して、対象部屋における給気部４０の給気口４１の開閉を制御する。そして、制御部２２は、ステップＳ１０に戻る。
【００８８】
以上の制御を行うことにより、換気システム２は、人感センサ７０の検知結果に基づいて、対象部屋における人の在否および在室人数に対応した適切な換気を実現して対象部屋の空気をより清浄化することができ、快適で安全な環境を提供することができる。
【００８９】
図１２は、本発明の実施の形態２にかかる換気システム２の制御装置２０の制御部２２におけるＣＯ２センサ８０と連携した制御処理の手順を示すフローチャートである。以下、換気システム２におけるＣＯ２センサ８０の検知結果に基づいた換気運転について説明する。以下に示す処理は、図６を参照して説明した制御装置２０の制御部２２における制御中に行われる。
【００９０】
ステップＳ１１０において制御装置２０の制御部２２は、対象部屋のＣＯ２センサ８０から送信された検知結果に基づいて、対象部屋の室内空気のＣＯ２濃度が閾値濃度より高いか否かを判定する。対象部屋の室内空気のＣＯ２濃度が閾値濃度より高いと判定された場合は、ステップＳ１１０においてＹｅｓとなり、ステップＳ１２０に進む。対象部屋の室内空気のＣＯ２濃度が閾値濃度以下であると判定された場合は、ステップＳ１１０においてＮｏとなり、制御部２２は、ステップＳ１１０を繰り返す。
【００９１】
閾値濃度は、対象部屋における給気部４０の給気口４１の開口時間または開口回数を変更するか否かを判定するための閾値であり、予め制御部２２に設定されている。閾値濃度は、遠隔操作機器１０から変更を指示する指示情報を入力することにより、任意に設定を変更可能である。遠隔操作機器１０の入力部１１で受け付けられた指示情報は、遠隔操作機器１０の制御部１４および通信部１３を介して制御装置２０の制御部２２に送信される。
【００９２】
ステップＳ１２０において、制御部２２は、対象部屋の給気部４０の給気口４１の開口時間を、制御部２２に設定されている開口時間の初期設定値よりも長くした変更設定値を設定して、変更設定値に基づいて対象部屋における給気部４０の給気口４１の開閉を制御する。または、制御部２２は、対象部屋に対しての換気運転の１サイクルにおける給気部４０の給気口４１の開口回数を、制御部２２に設定されている開口回数の初期設定値よりも多くした変更設定値を設定して、変更設定値に基づいて対象部屋における給気部４０の給気口４１の開閉を制御する。これにより、換気システム２は、室内空気のＣＯ２濃度が閾値濃度より高い対象部屋の換気量を増やすことができ、対象部屋の室内空気のＣＯ２濃度を確実に低減することができる。
【００９３】
ステップＳ１２０の後、制御部２２は、現在の対象部屋に対しての、換気運転の１サイクル内における一連の連携制御を終了する。なお、換気運転の１サイクル内において、開口時間を長くした変更設定値または開口回数を多くした変更設定値を設定した現在の対象部屋に対しては、更なる開口時間または開口回数の変更設定値の設定は行われない。
【００９４】
以上の制御を行うことにより、換気システム２は、ＣＯ２センサ８０の検知結果に基づいて、対象部屋における室内空気のＣＯ２濃度に対応した適切な換気を実現して対象部屋の空気をより清浄化することができ、快適で安全な環境を提供することができる。
【００９５】
なお、上記のように開口時間を長くする代わりに、排気部３０の排気風量、すなわち排気側送風機３２の風量を制御部２２に設定されている初期設定の設定値よりも多くしてもよい。これにより、換気システム２は、ＣＯ２センサ８０の検知結果に基づいて、対象部屋における室内空気のＣＯ２濃度に対応した適切な換気を実現できる。
【００９６】
なお、リビングのように人が多く集まり、室内空気のＣＯ２濃度が高くなって空気が汚れ易い部屋では、給気部４０の開口時間は、初期設定においても他の部屋よりも長く設定されることが好ましい。
【００９７】
図１３は、本発明の実施の形態２にかかる換気システム２の制御装置２０の制御部２２における室内温度センサ９０および外気温度センサ１００と連携した制御処理の手順を示すフローチャートである。以下、換気システム２における室内温度センサ９０および外気温度センサ１００の検知結果に基づいた換気運転について説明する。以下に示す処理は、図６を参照して説明した制御装置２０の制御部２２における制御中に行われる。
【００９８】
ステップＳ２１０において制御装置２０の制御部２２は、外気温度センサ１００および対象部屋の室内温度センサ９０から送信された検知結果に基づいて、対象部屋の室内温度が外気温度より高いか否かを判定する。対象部屋の室内温度が外気温度より高いと判定された場合は、ステップＳ２１０においてＹｅｓとなり、ステップＳ２２０に進む。対象部屋の室内温度が外気温度以下であると判定された場合は、ステップＳ２１０においてＮｏとなり、制御部２２は、ステップＳ２１０に戻る。
【００９９】
ステップＳ２２０の処理は、上述した図１２に示すフローチャートのステップＳ１２０の場合と同様である。これにより、換気システム３は、現在の対象部屋の換気量を増やすことができ、現在の対象部屋の室内温度を低下させることができる。
【０１００】
ステップＳ２２０の後、制御部２２は、現在の対象部屋に対しての、換気運転の１サイクル内における一連の連携制御を終了する。なお、換気運転の１サイクル内において、開口時間を長くした変更設定値または開口回数を多くした変更設定値を設定した現在の対象部屋に対しては、更なる開口時間または開口回数の変更設定値の設定は行われない。
【０１０１】
以上の制御を行うことにより、換気システム２は、室内温度センサ９０および外気温度センサ１００の検知結果に基づいて、対象部屋における室内温度に対応した適切な換気を実現して対象部屋の室内温度を適正化することができ、快適で安全な環境を提供することができる。
【０１０２】
たとえば夏場に、住宅２００を締め切った状態で外気温度よりも部屋の室内温度が高くなっている場合があり得る。この場合には、室内温度が外気温度よりも高くなっている部屋の給気部４０の給気口４１の開口時間を制御部２２に設定されている開口時間の初期設定値よりも自動的に長くして換気を行うことで、対象部屋ごとに室内温度を下げることが可能となる。このような換気は、対象部屋に設置された空気調和機を動作させる前の対象部屋の排熱を行うことができ、空気調和機の省エネルギーに貢献できる。
【０１０３】
なお、換気システム２においては、排気部３０における排気能力、すなわち排気量が複数段階に変更可能な場合には、開口時間を長くまたは開口回数を多くする代わりに、排気部３０の排気風量、すなわち排気側送風機３２の風量を制御部２２に設定されている初期設定の設定値よりも多くしてもよい。これにより、換気システム２は、センサの検知結果に基づいて、対象部屋の状況に対応した適切な換気を実現することができる。さらに、給気部４０の給気口４１の開口時間の変更または開口回数の変更と、排気部３０の排気風量の変更とを組み合わせることにより、更なる細やかな換気量の制御が可能となる。
【０１０４】
また、換気システム１の変形例として、住宅２００内の各種の宅内設備機器の動作状態に基づいて、自動的に各給気部４０における給気口４１の開口時間を変化させる、または自動的に開口回数を変化させることにより、部屋の状況に対応した適切な換気を実現することができる。図１４は、本発明の実施の形態２にかかる換気システム３の構成を示すブロック図である。図１４における矢印は、信号の送信方向を示している。
【０１０５】
本実施の形態２にかかる換気システム３は、上述した実施の形態１にかかる換気システム１の構成に加えて、レンジフードファン１２０と、照明機器１３０と、をさらに有する。レンジフードファン１２０と、照明機器１３０とは、通信ライン１４０により制御装置２０と通信可能である。換気システム３は、実施の形態１にかかる換気システム１の機能に加えて、住宅２００内の各種の宅内設備機器の動作状態に基づいて換気運転を行うことができる。すなわち、本実施の形態２にかかる換気システム３では、住宅２００内の宅内設備機器と連携した換気運転である連携運転を実施可能である。宅内設備機器は、建物内に配置された各種電子機器であり、ここでは、レンジフードファン１２０と、照明機器１３０とが例示される。
【０１０６】
レンジフードファン１２０は、住宅２００内においてキッチンに設けられた排気用のファンである。レンジフードファン１２０は、運転中は、運転している旨を通知する信号である運転情報を、通信ライン１４０を介して制御装置２０の制御部２２に予め定められた周期で送信する。また、レンジフードファン１２０は、レンジフードファン１２０の運転を停止すると、運転を停止している旨を通知する信号である停止情報を、通信ライン１４０を介して制御装置２０の制御部２２に予め定められた周期で送信する。
【０１０７】
照明機器１３０は、住宅２００内において給気部４０が設けられた各部屋に設置されている。照明機器１３０は、点灯すると、点灯している旨を通知する信号である点灯情報を、通信ライン１４０を介して制御装置２０の制御部２２に予め定められた周期で送信する。また、照明機器１３０は、消灯すると、消灯している旨を通知する信号である消灯情報を、通信ライン１４０を介して制御装置２０の制御部２２に予め定められた周期で送信する。
【０１０８】
図１５は、本発明の実施の形態２にかかる換気システム３の制御装置２０の制御部２２におけるレンジフードファン１２０と連携した制御処理の手順を示すフローチャートである。以下、換気システム３におけるレンジフードファン１２０の動作状態に基づいた換気運転について説明する。以下に示す処理は、図６を参照して説明した制御装置２０の制御部２２における制御中に行われる。
【０１０９】
ステップＳ３１０において制御装置２０の制御部２２は、レンジフードファン１２０から運転情報を受信しているかまたは停止情報を受信しているかに基づいて、レンジフードファン１２０が運転しているか否かを判定する。制御部２２は、運転情報を受信している場合に、レンジフードファン１２０が運転していると判定する。制御部２２は、停止情報を受信している場合に、レンジフードファン１２０が停止していると判定する。レンジフードファン１２０が運転していると判定された場合は、ステップＳ３１０においてＹｅｓとなり、ステップＳ３２０に進む。レンジフードファン１２０が停止していると判定された場合は、ステップＳ３１０においてＮｏとなり、制御部２２は、ステップＳ３１０に戻る。
【０１１０】
ステップＳ３２０において、制御部２２は、レンジフードファン１２０との間の風路が１番短い給気部４０の給気口４１の開口時間を、制御部２２に設定されている開口時間の初期設定値よりも長くした変更設定値を設定して、変更設定値に基づいて対象部屋における給気部４０の給気口４１の開閉を制御する。または、制御部２２は、レンジフードファン１２０との間の風路が１番短い給気部４０の給気口４１に対しての換気運転の１サイクルにおける給気部４０の給気口４１の開口回数を、制御部２２に設定されている開口回数の初期設定値よりも多くした変更設定値を設定する。そして、制御部２２は、変更設定値に基づいて、レンジフードファン１２０との間の風路が１番短い給気部４０の給気口４１の開閉を制御する。これにより、換気システム３は、レンジフードファン１２０との間の風路が１番短い給気部４０の給気口４１からの給気を増やして、キッチンの負圧を低減することが可能となる。
【０１１１】
ここで、制御部２２は、レンジフードファン１２０との間の風路が１番短い給気部４０が現在の対象部屋に配置された給気部４０である場合には、現在の対象部屋に配置された給気部４０について変更設定値を設定して換気を制御する。また、制御部２２は、レンジフードファン１２０との間の風路が１番短い給気部４０が現在の対象部屋に配置された給気部４０でない場合には、上記の変更設定値の設定は行わず、次の対象部屋以降の対象部屋に配置された給気部４０のうちレンジフードファン１２０との間の風路が１番短い給気部４０について変更設定値を設定して換気を制御する。
【０１１２】
なお、ステップＳ３２０において制御部２２は、レンジフードファン１２０との間の風路が１番短い給気部４０であるか否かにかかわらず、現在の対象部屋に配置された給気部４０について変更設定値を設定して換気を制御することも可能である。この場合も、レンジフードファン１２０との間の風路が１番短い給気部４０の給気口４１からの給気を増やす場合よりは効果は減るものの、キッチンの負圧を低減することが可能となる。
【０１１３】
ステップＳ３２０の後、制御部２２は、現在の対象部屋に対しての、換気運転の１サイクル内における一連の連携制御を終了する。なお、換気運転の１サイクル内において、開口時間を長くした変更設定値または開口回数を多くした変更設定値を設定した対象部屋に対しては、更なる開口時間または開口回数の変更設定値の設定は行われない。
【０１１４】
以上の制御を行うことにより、換気システム３は、レンジフードファン１２０の動作状態に基づいて、レンジフードファン１２０との間の風路が１番短い給気部４０の給気口４１からの給気を増やして、キッチンの負圧を低減することができ、キッチンの窓が開けにくくなる状態などの発生を抑制できる。
【０１１５】
図１６は、本発明の実施の形態２にかかる換気システム３の制御装置２０の制御部２２における照明機器１３０と連携した制御処理の手順を示すフローチャートである。以下、換気システム３における照明機器１３０の動作状態に基づいた換気運転について説明する。以下に示す処理は、図６を参照して説明した制御装置２０の制御部２２における制御中に行われる。
【０１１６】
ステップＳ４１０において制御装置２０の制御部２２は、対象部屋について、照明機器１３０から点灯情報を受信しているかまたは消灯情報を受信しているかに基づいて、照明機器１３０が点灯しているか否かを判定する。制御部２２は、点灯情報を受信している場合に、照明機器１３０が点灯していると判定する。制御部２２は、消灯情報を受信している場合に、照明機器１３０が消灯していると判定する。対象部屋の照明機器１３０が点灯していると判定された場合は、対象部屋に人がいると判定され、ステップＳ４１０においてＹｅｓとなり、ステップＳ４２０に進む。対象部屋の照明機器１３０が消灯していると判定された場合は、ステップＳ４１０においてＮｏとなり、制御部２２は、ステップＳ４１０に戻る。
【０１１７】
ステップＳ４２０の処理は、上述した図１２に示すフローチャートのステップＳ１２０の場合と同様である。これにより、換気システム３は、照明機器１３０が点灯していると判定された現在の対象部屋の換気量を増やすことができ、現在の対象部屋の空気をより清浄化することができ、快適で安全な環境を提供することができる。また、ステップＳ４２０において制御部２２は、対象部屋の給気部４０の給気口４１の開口時間を、現在、照明機器１３０が点灯していない他の部屋の開口時間の初期設定値よりも長く設定してもよい。また、制御部２２は、対象部屋の給気部４０の給気口４１の開口回数を、現在、照明機器１３０が点灯していない他の部屋の開口回数の初期設定値よりも多く設定してもよい。
【０１１８】
ステップＳ４２０の後、制御部２２は、現在の対象部屋に対しての、換気運転の１サイクル内における一連の連携制御を終了する。なお、換気運転の１サイクル内において、開口時間を長くした変更設定値または開口回数を多くした変更設定値を設定した対象部屋に対しては、更なる開口時間または開口回数の変更設定値の設定は行われない。
【０１１９】
以上の制御を行うことにより、換気システム３は、照明機器１３０の動作状態に基づいて、給気部４０の給気口４１からの給気を増やして、キッチンの負圧を低減することができ、キッチンの窓が開けにくくなる状態などの発生を抑制できる。
【０１２０】
なお、換気システム３においては、排気部３０における排気能力、すなわち排気量が複数段階に変更可能な場合には、開口時間を長くするまたは開口回数を多くする代わりに、排気部３０の排気風量、すなわち排気側送風機３２の風量を制御部２２に設定されている初期設定の設定値よりも多くしてもよい。これにより、換気システム３は、照明機器１３０の動作状態に基づいて、上記と同様に対象部屋の状況に対応した適切な換気を実現することができる。さらに、給気部４０の給気口４１の開口時間の変更または開口回数の変更と、排気部３０の排気風量の変更とを組み合わせることにより、更なる細やかな換気量の制御が可能となる。
【０１２１】
また、換気システム１の変形例として、制御装置２０の制御部２２が時計機能を有してもよい。これにより、制御部２２は、寝室に設けられた給気部４０の給気口４１の開口時間を、寝室が使用される夜間は初期設定値より自動的に長く変更し、寝室が使用されることが少ない昼間は初期設定値より自動的に短く変更することが可能である。このように、制御部２２が時計機能を有することにより、各給気部４０の給気口４１の開口時間を、居住者の生活パターンまたは部屋の利用状況に合わせて変更することが可能であり、各部屋について必要十分な換気が可能となる。
【０１２２】
また、給気部４０における給気口４１の開閉の切り替えは、制御装置２０の制御部２２から送信される開閉信号に基づいて行われる。このため、遠隔操作機器１０から制御部２２に割り込み処理信号を送ることで、任意のタイミングで任意の部屋を強制換気することが可能である。
【０１２３】
また、換気システム２，３は、部屋の間取りの多様化に起因して一般的な第３種換気では難しかった建物の建築後の換気量の調整が、制御部２２における設定により、容易に再設定および変更が可能となる。
【０１２４】
また、換気システム２，３では、制御装置２０と、ＨＥＭＳとを接続することにより、住宅２００内の各部屋の空気調和管理の１つの方法として、上述した換気を行うことも可能となる。また、制御装置２０の機能を、ＨＥＭＳにおいて住宅２００内の複数の宅内設備機器の運転、停止または風量の調整などの動作を遠隔管理により制御する宅内設備機器集中管理装置が兼ねてもよい。
【０１２５】
上述したように、本実施の形態２にかかる換気システム２，３は、換気システム１と同様の効果を有する。
【０１２６】
また、本実施の形態２にかかる換気システム２は、各種のセンサと連携した換気運転を行うことにより、対象部屋の状況に対応した適切な換気を実現することができる。また、本実施の形態２にかかる換気システム３は、宅内設備機器と連携した換気運転を行うことにより、対象部屋の状況に対応した適切な換気を実現することができる。
【０１２７】
実施の形態３．
上述した実施の形態では、排気側が機械換気であり、給気側が自然換気である第３種換気を行う場合について説明したが、上述した処理を排気側が自然換気であり、給気側が機械換気である第２種換気を行う場合に適用してもよい。すなわち、シャッター付き給気部４０を給気扇としてもよい。この場合は、シャッター付き排気部３０は排気側送風機３２を備えない。
【０１２８】
図１７は、本発明の実施の形態３にかかる換気システム４の住宅２００における構成例を示す図である。図１８は、本発明の実施の形態３にかかる換気システム４の機能構成を示すブロック図である。２階建ての建物である住宅２００に設けられた本実施の形態３にかかる換気システム４は、遠隔操作機器１０と、制御装置２０と、シャッター付き給気部１６０と、シャッター付き排気部１５０と、宅内無線ライン５０と、宅内通信ライン６０と、を有している。換気システム４において換気システム１と同様の構成については、換気システム１と同じ符号を付して説明を省略する。
【０１２９】
図１７に示すように、住宅２００において、１階の部屋２１１における建物の外部に隣り合う壁には、シャッター付き排気部１５０が配置されている。また、換気システム４は、シャッター付き給気部１６０として、第１シャッター付き給気部１６０ａ、第２シャッター付き給気部１６０ｂおよび第３シャッター付き給気部１６０ｃを有する。第１シャッター付き給気部１６０ａは、１階の部屋２１２における建物の外部に隣り合う壁に配置されている。第２シャッター付き給気部１６０ｂは、２階の部屋２１３における建物の外部に隣り合う壁に配置されている。第３シャッター付き給気部１６０ｃは、２階の部屋２１４における建物の外部に隣り合う壁に配置されている。
【０１３０】
シャッター付き排気部１５０は、排気側送風機３２を備えておらず、排気口３１において自然換気を行う点がシャッター付き排気部３０と異なる。
【０１３１】
シャッター付き給気部１６０は、給気側送風機４５を備え、給気口４１において機械換気を行う点がシャッター付き給気部４０と異なる。給気側送風機４５は、建物の外の空気を給気口４１を通して建物の中に給気する送風を行う送風機である。すなわち、給気側送風機４５は、通気口を通して部屋の空気を換気する機械換気装置である。
【０１３２】
本実施の形態３においては、給気口４１は、換気システム３において建物の外部に隣り合う壁に設けられた複数の通気口のうち、給気側送風機４５によって換気が行われる１つ以上の通気口である第１の通気口である。また、本実施の形態３においては、排気口３１は、換気システム４において建物の外部に隣り合う壁に設けられた複数の通気口のうち、給気側送風機４５によって換気が行われる第１の通気口以外の通気口である。そして、本実施の形態３においては、排気口３１は、換気運転中にシャッターにより開かれる１つの第２の通気口と、換気運転中にシャッターにより開かれない他の通気口とに該当する。
【０１３３】
したがって、換気システム４は、第２種換気を行う。換気システム４は、上述した実施の形態における各部屋のシャッター付き給気部４０の給気口４１の開口時間を、シャッター付き給気部１６０の給気側送風機４５の動作時間に置き換えることにより、上述した実施の形態の場合と同様の効果が得られる。また、換気システム４は、上述した実施の形態において各部屋のシャッター付き給気部４０の給気口４１での換気運転の１サイクル内の開口回数を、換気運転の１サイクル内の給気側送風機４５の動作回数に置き換えることにより、上述した実施の形態の場合と同様の効果が得られる。
【０１３４】
なお、換気システム４においては、シャッター付き給気部１６０における排気能力、すなわち給気量が複数段階に変更可能な場合には、換気運転の１サイクル内の対象部屋の給気口４１の開口時間を長くする代わり、または換気運転の１サイクル内の対象部屋の給気側送風機４５の動作回数を多くする代わりに、シャッター付き給気部１６０の給気風量、すなわち給気側送風機４５の風量を制御部２２に設定されている初期設定の設定値よりも多くしてもよい。これにより、換気システム４は、換気システム２および換気システム３の場合と同様に、対象部屋の状況に対応した適切な換気を実現することができる。さらに、上記の給気口４１の開口時間の変更または給気側送風機４５の動作回数の変更と、シャッター付き給気部１６０の給気風量の変更とを組み合わせることにより、更なる細やかな換気量の制御が可能となる。
【０１３５】
したがって、第２種換気を行う換気システム４でも、より多様化する間取りの影響を受けることなく、各部屋に必要な換気を確実に行うことが可能となり、各部屋について必要な換気量のバランスのとれた換気が可能となる。
【０１３６】
実施の形態４．
図１９は、本発明の実施の形態４にかかる第１の換気システム５および第２の換気システム６の住宅２００における構成例を示す図である。上述した実施の形態１では、図１に示すように、１階に設けた１つの排気部３０で１階および２階の各部屋の換気を行う構成を示したが、１階および２階の各々の階の１つの部屋に排気部３０を設けてもよい。そして、１階および２階の各々の階に、給気部４０が設けられた部屋が複数存在するものとする。
【０１３７】
この場合は、１階の部屋２２１に排気部３０である第１シャッター付き排気部３０ａが配置され、１階の部屋である部屋２２２に給気部４０である第１シャッター付き給気部４０ａが配置され、１階の部屋である部屋２２３に給気部４０である第２シャッター付き給気部４０ｂが配置される。また、２階の部屋２２４に排気部３０である第２シャッター付き排気部３０ｂが配置され、２階の部屋である部屋２２５に給気部４０である第３シャッター付き給気部４０ｃが配置され、２階の部屋である部屋２２６に給気部４０である第４シャッター付き給気部４０ｄが配置される。
【０１３８】
そして、遠隔操作機器１０と、制御装置２０と、１階の複数の部屋の給気部４０である第１給気部４０ａおよび第２給気部４０ｂと、１階に設けられた第１排気部３０ａと、により第１の換気システム５が構成される。また、遠隔操作機器１０と、制御装置２０と、２階の複数の部屋の給気部４０である第３給気部４０ｃおよび第４給気部４０ｄと、２階に設けられた第２排気部３０ｂと、により第２の換気システム６が構成される。
【０１３９】
第１の換気システム５および第２の換気システム６は、上述した実施の形態で示した換気運転を行うことができる。また、遠隔操作機器１０と制御装置２０とは、第１の換気システム５および第２の換気システム６に対して、上述した実施の形態で示した換気についての制御を行う。これにより、１階と２階との各々の階毎に、上述した実施の形態で示した換気を行うことができる。これにより、初期設定の段階で、１日あたりの各部屋の換気時間を長く確保することができ、対象部屋の空気をより清浄化することができ、快適で安全な環境を提供することができる。
【０１４０】
したがって、実施の形態４では、建物が複数階構造を有し、機械換気装置である排気側送風機３２が建物の各階に配置されている。そして、制御部２２は、建物の各階において、排気部３０により換気を行う排気口３１をシャッターにより開くとともに排気側送風機３２を運転させた状態で、複数の給気口４１のうち、対象部屋に設けられた給気口４１をシャッターにより開き、他の給気口４１を閉じる。
【０１４１】
第１の換気システム５および第２の換気システム６は、完全に独立して換気運転を行ってもよい。また、第１の換気システム５と第２の換気システム６とは、交互に換気運転を行ってもよい。この場合は、第１の換気システム５と第２の換気システム６とのうち一方の換気システムの排気部３０が動作しているときは、他方の換気システムの排気部３０は停止してシャッターも閉じているとよい。
【０１４２】
また、第１の換気システム５と第２の換気システム６とは、実施の形態３で説明した換気システム４により第２種換気を行う場合に適用することも可能である。
【０１４３】
以上の実施の形態に示した構成は、本発明の内容の一例を示すものであり、実施の形態の技術同士を組み合わせることも可能であるし、別の公知の技術と組み合わせることも可能であるし、本発明の要旨を逸脱しない範囲で、構成の一部を省略、変更することも可能である。
【符号の説明】
【０１４４】
１，２，３，４  換気システム、５  第１の換気システム、６  第２の換気システム、１０  遠隔操作機器、１１  入力部、１２  表示部、１３，２１，３４，４３  通信部、１４，２２，３５，４４  制御部、２０  制御装置、３０，１５０  シャッター付き排気部、３０ａ  第１シャッター付き排気部、３０ｂ  第２シャッター付き排気部、３１  排気口、３２  排気側送風機、３３，４２  開閉処理部、４０，１６０  シャッター付き給気部、４０ａ  第１シャッター付き給気部、４０ｂ  第２シャッター付き給気部、４０ｃ  第３シャッター付き給気部、４０ｄ  第４シャッター付き給気部、４１  給気口、４５  給気側送風機、５０  宅内無線ライン、６０  宅内通信ライン、７０  人感センサ、８０  二酸化炭素センサ、９０  室内温度センサ、１００  外気温度センサ、１０１  プロセッサ、１０２  メモリ、１１０，１４０  通信ライン、１２０  レンジフードファン、１３０  照明機器、１６０ａ  第１シャッター付き給気部、１６０ｂ  第２シャッター付き給気部、１６０ｃ  第３シャッター付き給気部、２００  住宅、２１１，２１２，２１３，２１４，２２１，２２２，２２３，２２４，２２５，２２６  部屋。
【図１】
2019203659.tif 000003
【図２】
2019203659.tif 000004
【図３】
2019203659.tif 000005
【図４】
2019203659.tif 000006
【図５】
2019203659.tif 000007
【図６】
2019203659.tif 000008
【図７】
2019203659.tif 000009
【図８】
2019203659.tif 000010
【図９】
2019203659.tif 000011
【図１０】
2019203659.tif 000012
【図１１】
2019203659.tif 000013
【図１２】
2019203659.tif 000014
【図１３】
2019203659.tif 000015
【図１４】
2019203659.tif 000016
【図１５】
2019203659.tif 000017
【図１６】
2019203659.tif 000018
【図１７】
2019203659.tif 000019
【図１８】
2019203659.tif 000020
【図１９】
2019203659.tif 000021